(57)【要約】      （修正有）【課題】エッジライトによる薄型バックライトで手軽に希望する作品を見ることが可能となる差し込み用薄型発光板を提供する。【解決手段】中央に導光板１１、導光板の側面一部にＬＥＤ１０、導光板の片面に光拡散シート１３、その反対面に反射シート１２を配置して、周囲を金属フレーム７で囲い固定して一体型とした発光板を構成する。この発光板を外枠に組み込む時、額縁の裏面凹部に差込み押さえピンで固定する叉は取り出す等、簡単に取り付け取り外しが出来るようにして一体型の薄型発光板を構成する。【選択図】図２
0003165048.tif 000002
【実用新案登録請求の範囲】
【請求項１】
中央に導光板、周囲にLEDエッジライトを配置して、金属フレームで周囲を固定して一体型とし、額縁の収納部に収まるようにした薄型発光板。
【請求項２】
全体の厚さを４ｍｍ〜１４ｍｍにして、額縁などのフレームに簡単に差し込みできるようにした、前記請求項1記載の薄型発光板。
【請求項３】
額縁には、最前面に透明板、次に着色フイルム、その次に発光板を配置する。発光板を発光させると着色フイルムが裏面から光を受けて、表面に高い認識性を演出させる前記請求項1記載の薄型発光板。
【考案の詳細な説明】
【技術分野】
【０００１】
本発明は、LEDと導光板の組み合わせによる、面発光体の実現にある。薄型発光体を活用して、外枠に収納された写真などの裏面を発光させ、透過光で作品を見る装置である。
【０００２】
本発明は、外枠となるいろいろな額縁などと発光板を組み合わせて、写真や版画、切り絵などの作品を最良の状態で見るものである。
【背景技術】
【０００３】
LEDの技術進歩により小さい光源で高い輝度を実現させることが出来るようになった。さらに光を良く通すプラスチック導光板の開発により、側面から光を入れて全面に光の面を作ることが実現した。
【０００４】
LEDの光の強さが高くなり、導光板を薄くしても全面へ出て来る光の量が大きくなった。その為、薄いプラスチック導光板でも充分実用性が出てきた。
【０００５】
光を良く通す印刷技術が発展している。写真技術であり、インクジェットプリントである。パソコン内で画像処理したものが、高精度で自由に大きさを選定して印刷できるようになった。
【０００６】
これら写真類には、バックライトで見ることに適した作品が多くある。バックライトの装置は高額であり簡単に設置できないが、前記エッジライトによる薄型バックライトで手軽に希望する作品を見ることが可能となる。
【先行技術文献】
【特許文献】
【０００７】
【特許文献１】特開２００９−２４５８８３
【特許文献２】特開２００９−１９９７９９
【特許文献３】特開２００９−０７６３２９
【特許文献４】特開２００７−０４２３３８
【考案の概要】
【考案が解決しようとする課題】
【０００８】
額縁などに写真などを入れて見る時、例えば夕焼け写真などは本来光の中に浮き出ている風景であるにも拘らず、表面からの反射光で見ているので臨場感が出せない。
【０００９】
切り絵や版画など、透過光で演出する作品は常に透過光で見るものであるが、特別な装置でないと簡単手軽に鑑賞することが出来ない。
【００１０】
背面からの照明はは重厚である程度の空間が必要である。そのため常に点灯して鑑賞することは出来ない。
【課題を解決するための手段】
【００１１】
額縁の背面収納部には正面から見ると、先ず透明板がある、次に写真などの着色フイルムがある、次に発光板を収納する。発光板は薄型であり、額縁収納部に収まり、全体を安定して固定することが出来る。背面からの発光で、写真などの着色フイルムの臨場感が出せる。
【００１２】
薄型発光板は簡単に脱着できる、写真などの着色フイルムを簡単に差し替えることが出来、色々な作品を楽しむことが出来る。
【００１３】
薄型発光板は額縁の収納部に収めることが出来る、特別なスペースも要らず、軽量であり取り付けも簡単である。
【００１４】
LEDと導光板による発光板は、照度調整装置を組み合わせると、写真などの作品に対して最適照度を簡単に得られる。このことのより最適臨場感を得ることが出来る。
【００１５】
薄型発光板は、LEDと導光板との組み合わせによる新しい技術により実現できた。額縁に組み込んで色々な作品を背面からの透過光で観ることが出来る。
【考案の効果】
【００１６】
LEDと導光板の組み合わせで、薄型発光板が実現した。この薄型発光板を活用して額縁用背面発光板を実現した。
従来は表面からの反射光で見ていた写真なども、背面からの透過光で見ると更に臨場感があり現場に近い風景としてみることが出来る。
夕日や朝日、空中や水中、森林の中や町の中など光の中に存在する風景をより臨場感を持って見ることが可能となる。
【図面の簡単な説明】
【００１７】
【図１】薄型発光板の正面図薄型発光板の正面図である、周囲を金属フレームで囲い、1枚の薄板となっている。
【図２】薄型発光板の断面図薄型発光板の断面図である、側面よりLED光を入れて、前面を発光させる。
【図３】額縁の収まった発光板額縁の正面図である、透明板の中に写真などが入る。
【図４】額縁に収まった発光板と全体の断面図額縁に収納された、薄型発光板が発光することで中間に設けられた写真などが発光する。
【考案を実施するための形態】
【００１８】
金属又は木製の額縁に、正面に透明板が設けられている。その裏に光を通す写真や着色フイルムを取り付ける。更にその裏面に薄型発光板を取り付け、固定ピンで固定する。
発光板にはリード線があり、外部からの電気を取り入れ接続し点灯する。
【００１９】
発光板は通常DC１２VからDC２４Vの電源と接続する、電源部に照度調整用装置を入れると、明るさを調整できる。写真や版画には、その作品に最適な明るさが理想的である。作品の表現を明るさの調整で最適照度を設定することが出来る。
【実施例１】
【００２０】
図3に示す通り、木製額縁９４０ｍｍｘ６９０ｍｍに収納された透明板A１版８４０ｍｍｘ５９０ｍｍのサイズに合わせて透光性写真フイルム等を収納する。さらにその裏側からA１版サイズの発光板を収納する。最外部から押さえ金具で固定して額縁内に収める。
リード線で外部電源に接続して発光板を発光させる。その光で透光性写真フイルム等を発光させて作品の臨場感を見る。
【産業上の利用可能性】
【００２１】
額縁に装着する自発光パネルは、写真の表現を大きく発展させる。写真印刷にはインクジェットプリントが普及しており、画像を簡単に処理して、1枚単位で印刷できる。
また、今後３D写真なども普及が予想され、より実感に近い画像、作品の要請が高くなると考えられる。それには画像の裏面からパックライトで発光させる事が有効である。
【符号の説明】
【００２２】
１  額縁
２  発光部
３  透光性着色フイルム
４  発光板
５  押さえ金具
６  透明板
７  金属フレーム
８  プリント基板
９  リード線
１０  LED
１１  導光板
１２  反射シート
１３  光拡散シート
１４  導光板内を進む光
１５  表面に出て来る光
１６  導光板と反射シートの接着部
１７  導光板と光拡散シートの接着部
【図１】
0003165048.tif 000003
【図２】
0003165048.tif 000004
【図３】
0003165048.tif 000005
【図４】
0003165048.tif 000006
【手続補正書】
【提出日】平成22年10月7日(2010.10.7)
【手続補正１】
【補正対象書類名】実用新案登録請求の範囲
【補正対象項目名】全文
【補正方法】変更
【補正の内容】
【実用新案登録請求の範囲】
【請求項１】
中央に導光板（１１）、導光板の側面一部にＬＥＤ（１０）、導光板の片面に光拡散シート（１３）、その反対面に反射シート（１２）を配置して、周囲を金属フレーム（７）で囲い固定して一体型とした発光板を構成する、この発光板を外枠に組み込む時、額縁の裏面凹部に差込み押さえピンで固定する叉は取り出す等、簡単に取り付け取り外しが出来るようにした一体型の薄型発光板。
【請求項２】
全体の厚さを４ｍｍ〜１４ｍｍにして、額縁・フレーム等の裏面凹部に差込み押さえピンで固定する叉は取り出す等、簡単に取り付け取り外しが出来るようにした、前記請求項１記載の薄型発光板。
【請求項３】
額縁と前記請求項１記載の薄型発光板を組み合わせる時、最前面に透明板（６）、次に着色フイルム（３）、その次に当該発光板（４）を配置する、これらを全て額縁収納空間に収めて、着色フイルムの裏面を発光させ、視認性を上げる事を可能とした自発光額縁。